(57)【特許請求の範囲】
【請求項１】
内部に作動油を貯蔵する油タンクと、貯蔵作動油を吸入して吐出する油圧ポンプと、油圧ポンプを回転駆動する電動機とを備え、油タンクの上板に、作動油を給油する給油口を開口した給油口部材を設け、油タンクの側板に、貯蔵作動油量を視認する油面計を設け、油タンクには油面計を保護する油面計保護部材を設け、油面計保護部材は、油面計の貯蔵作動油量を視認する正面方向を開口すると共に、油面計の正面方向と対向する背面方向と、油面計の正面方向および背面方向と略直交する一方の側面方向と、一方の側面方向と対向する他方の側面方向との三方向を油タンクの側板とで覆う形状に設け、さらに、油面計の上方を覆う第４側板を有し、この第４側板を延在して取付部を有し、この取付部を給油口部材に着脱自在に取付けることを特徴とする油圧装置。
【請求項２】
前記油面計保護部材は、前記油面計の一方の側面方向を覆う第１側板と、他方の側面方向を覆う第２側板とを有し、前記油面計の背面方向を前記油タンクの側板で覆うことを特徴とする請求項１に記載の油圧装置。
【請求項３】
前記油面計保護部材は、前記油面計の一方の側面方向を覆う第１側板と、前記油面計の背面方向を覆う第３側板とを有し、前記油面計の他方の側面方向を前記油タンクの側板で覆うことを特徴とする請求項１に記載の油圧装置。
【請求項４】
前記油面計保護部材は、前記第４側板で前記第１側板と前記第２側板とを、もしくは前記第１側板と前記第３側板とを、接合したことを特徴とする請求項２もしくは請求項３に記載の油圧装置。
【発明の詳細な説明】
【技術分野】
【０００１】
本発明は、作動油を貯蔵する油タンクと、貯蔵作動油を吸入して吐出する油圧ポンプと、油圧ポンプを回転駆動する電動機とを備え、油タンクの側板に、貯蔵作動油量を視認する油面計を設けた油圧装置に関する。
【背景技術】
【０００２】
この種の油圧装置は、作動油を貯蔵する油タンクの上板に、一側面に固定した油圧ポンプを回転駆動する電動機を載置し、油タンクの側板に、貯蔵作動油量を視認する油面計を設け、油圧ポンプの回転駆動で油タンクに貯蔵した作動油を吸入して吐出し、この吐出した作動油をアクチュエータに供給すると共に、アクチュエータから戻る作動油を油タンクに還流している。  
【先行技術文献】
【特許文献】
【０００３】
【特許文献１】特開２００８−３９０２１号公報
【発明の概要】
【発明が解決しようとする課題】
【０００４】
ところが、かかる従来の油圧装置では、油タンクの側板に設けた油面計は、油タンクの外部に露出しているため、油圧装置を大型設備等に組み込む際に、油面計が隣接する機器にぶつかったり、油圧装置の保守時に、作業者が誤って工具をぶつけたりし、油面計が破損する恐れがあった。
【０００５】
本発明の課題は、油タンクの貯蔵作動油量を視認する油面計が、他の部材とぶつかって破損することを防止し得る油圧装置を提供するものである。
【課題を解決するための手段】
【０００６】
かかる課題を達成すべく、本発明は次の手段をとった。即ち、
内部に作動油を貯蔵する油タンクと、貯蔵作動油を吸入して吐出する油圧ポンプと、油圧ポンプを回転駆動する電動機とを備え、油タンクの上板に、作動油を給油する給油口を開口した給油口部材を設け、油タンクの側板に、貯蔵作動油量を視認する油面計を設け、油タンクには油面計を保護する油面計保護部材を設け、油面計保護部材は、油面計の貯蔵作動油量を視認する正面方向を開口すると共に、油面計の正面方向と対向する背面方向と、油面計の正面方向および背面方向と略直交する一方の側面方向と、一方の側面方向と対向する他方の側面方向との三方向を油タンクの側板とで覆う形状に設け、さらに、油面計の上方を覆う第４側板を有し、この第４側板を延在して取付部を有し、この取付部を給油口部材に着脱自在に取付けることを特徴とする油圧装置がそれである。
【０００７】
この場合、前記油面計保護部材は、前記油面計の一方の側面方向を覆う第１側板と、他方の側面方向を覆う第２側板とを有し、前記油面計の背面方向を前記油タンクの側板で覆っても良い。
【０００８】
また、前記油面計保護部材は、前記油面計の一方の側面方向を覆う第１側板と、前記油面計の背面方向を覆う第３側板とを有し、前記油面計の他方の側面方向を前記油タンクの側板で覆っても良い。
【０００９】
また、前記油面計保護部材は、前記第４側板で前記第１側板と前記第２側板とを、もしくは前記第１側板と前記第３側板とを接合しても良い。
【発明の効果】
【００１１】
以上詳述したように、請求項１に記載の発明は、油タンクには油面計を保護する油面計保護部材を設け、油面計保護部材は、油面計の貯蔵作動油量を視認する正面方向を開口すると共に、油面計の正面方向と対向する背面方向と、油面計の正面方向および背面方向と略直交する一方の側面方向と、一方の側面方向と対向する他方の側面方向との三方向を油タンクの側板とで覆う形状に設けた。このため、油面計保護部材と油タンクの側板とで、油面計の一方の側面方向と他方の側面方向と背面方向とを覆うから、油面計が他の部材とぶつかって破損することを防止することができる。また、油面計保護部材は、油面計の上方を覆う第４側板を有した。このため、油面計が他の部材とぶつかって破損することをより確実に防止することができる。また、油面計保護部材は、第４側板を延在して取付部を有し、この取付部を給油口部材に着脱自在に取付けた。このため、油面計保護部材は既存の油タンクに必要に応じて後から取付けることができるから、油タンクの種類を増やすことなくできる。また、油タンクの給油口部材に油面計保護部材の取付部を取付けるから、油タンクに油面計保護部材を取付けるための取付部材を格別に設けなくてよく、油タンクの部品点数を増加することなくできる。さらにまた、油面計保護部材は第４側板を利用して取付部を有したから、取付部を格別に設けなくてよく、油面計保護部材の部品点数を増加することなくできる。
【００１２】
また、請求項２に記載の発明は、請求項１に記載の発明の効果に加え、油面計保護部材は、油面計の一方の側面方向を覆う第１側板と、他方の側面方向を覆う第２側板とを有し、油面計の背面方向を油タンクの側板で覆った。このため、油面計保護部材は第１側板と第２側板との二つの側板を有するものでよく、構成の簡素化を図ることができる。
【００１３】
また、請求項３に記載の発明は、請求項１に記載の発明の効果に加え、油面計保護部材は、油面計の一方の側面方向を覆う第１側板と、油面計の背面方向を覆う第３側板とを有し、油面計の他方の側面方向を、油タンクの側板で覆った。このため、油面計保護部材は第１側板と第３側板との二つの側板を有するものでよく、構成の簡素化を図ることができる。
【００１４】
また、請求項４に記載の発明は、請求項２および３に記載の発明の効果に加え、油面計保護部材は、第４側板で第１側板と第２側板とを、もしくは第１側板と第３側板とを接合した。このため、第４側板で第１側板と第２側板とを接合する、もしくは第４側板で第１側板と第３側板とを接合するから、油面計保護部材は三つの側板を相互に接合して強度を向上することができる。
【図面の簡単な説明】
【００１６】
【図１】本発明の一実施形態を示した油圧装置の斜視図である。
【図２】図１の正面図である。
【図３】図１の右側面図である。
【図４】図１の平面図である。
【図５】本発明の他の実施形態を示した油圧装置の斜視図である。
【図６】図５の右側面図である。
【発明を実施するための形態】
【００１７】
以下、本発明の一実施形態を図面に基づき説明する。
図１ないし図４において、１は内部に作動油を貯蔵する油タンクで、第１側板１Ａと、第２側板１Ｂと、第３側板１Ｃと、第４側板１Ｄとを、底板１Ｅから立設し、上部を開口した略直方体形状に形成している。２は油タンク１の上部開口を閉塞する上板で、油タンク１に対して着脱自在に設けている。３は油圧ポンプ４を回転駆動する電動機で、上板２上に複数の緩衝部材５を介して載置固定している。油圧ポンプ４は、上板２上で電動機３の一側面に固定し、電動機３の回転駆動で油タンク１の貯蔵作動油を吸入管路４Ａより吸入して吐出路４Ｂから吐出し、吐出路４Ｂは、図示しないアクチュエータに接続して設けている。図示しないアクチュエータからの戻り作動油は、戻り路６より油タンク１へ戻される。７は油圧ポンプ４の吐出圧力を表示する圧力計で、圧力計取付部材７Ａによってポンプ４の吐出路４Ｂに接続し、正面方向を油タンク１の第１側板１Ａの方向に向けている。
【００１８】
１０は作動油を油タンク１内部に給油する給油口を開口した給油口部材で、上板２に配設している。１１は蓋部材で、給油口部材１０に着脱自在に取り付け、給油口を閉塞している。８は作動油の貯蔵量をその正面方向から視認する油面計で、油タンク１の第１側板１Ａに正面方向と対向する背面方向を当接して設けている。９は油面計８を保護する油面計保護部材で、油面計８の正面方向を開口すると共に、正面方向および背面方向と略直交する一方の側面方向を覆う第１側板９Ａと、一方の側面方向と対向する他方の側面方向を覆う第２側板９Ｂと、油面計８の上方を覆う第４側板９Ｃと、油面計８の下方を覆う第５側板９Ｄとから構成し、油面計８の一方の側面方向と他方の側面方向と上方と下方との四方向を覆う形状に設けている。そして、油面計８の背面方向は油タンク１の第１側板１Ａで覆っている。油面計保護部材９は、単一の板状部材の両側を屈曲形成して第１側板９Ａと第２側板９Ｂと第５側板９Ｄとを一体形成し、油面計８の上方を覆う第４側板９Ｃに第１側板９Ａの上端と第２側板９Ｂの上端とを溶接固着で接合している。油面計保護部材９は第４側板９Ｃを水平方向に延在して取付部９Ｅを有し、取付部９Ｅは上板２と給油口部材１０との間に挟持して給油口部材１０に着脱自在に取付け、油面計保護部材９を油タンク１に固定している。
【００１９】
油タンク１の第１側板１Ａ下方には、貯蔵作動油を排出する排出口を着脱自在に閉塞する栓部材１２を設けている。油タンク１の上板２には、装置を吊り上げて移動するための複数のフック部材１３と、油圧ポンプ４のドレンをドレン導入管路１４より導入して冷却し、冷却したドレンをドレン導出管路１５より油タンク１に還流する冷却器１６を設けている。１７は冷却器の塵埃等による目詰まりを防止する冷却器フィルターで、冷却器１６と、上板２上に配置された冷却器取付部材１８との間に挟持して着脱自在に取付けている。１９はポンプ４より漏洩した作動油を収容する油受けで、油タンク１を着脱自在に取付けている。油受け１９は油受け底部１９Ｃに立設して逆Ｌ字形状のタンク取付部１９Ａを２個有し、タンク取付部１９Ａに油タンク１の底板１Ｅを取付けることで、油タンク１の底板１Ｅと油受け底部１９Ｃとの間に間隙を有する。
【００２０】
次に、かかる構成の作動を説明する。
吐出路４Ｂを図示しないアクチュエータに接続し、電動機３によって油圧ポンプ４を回転駆動すると、油圧ポンプ４は吸入管路４Ａより油タンク１に貯蔵した作動油を吸入して吐出路４Ｂに吐出し、この吐出した作動油は、図示しないアクチュエータに供給され、アクチュエータからの戻り油は戻り路６より油タンク１に還流する。このとき、油面計８は、油タンク１の作動油の貯蔵量を表示する。
【００２１】
かかる作動で、油タンク１には、油面計８を保護する油面計保護部材９を設け、油面計保護部材９は、油面計８の貯蔵作動油量を視認する正面方向を開口すると共に、油面計８の正面方向と対向する背面方向と、油面計８の正面方向および背面方向と略直交する一方の側面方向と、一方の側面方向と対向する他方の側面方向との三方向を油タンク１の第１側板１Ａとで覆う形状に設けた。このため、油面計保護部材９と油タンク１の第１側板１Ａとで、油面計８の一方の側面方向と他方の側面方向と背面方向とを覆うから、油面計８が他の部材とぶつかって破損することを防止することができる。
【００２２】
また、油面計保護部材９は、油面計８の一方の側面方向を覆う第１側板９Ａと、一方の側面方向と対向する他方の側面方向を覆う第２側板９Ｂとを有し、油面計８の背面方向を油タンク１の第１側板１Ａで覆った。このため、油面計保護部材９は第１側板９Ａと第２側板９Ｂとの二つの側板を有するものでよく、構成の簡素化を図ることができる。
【００２３】
また、油面計保護部材９は、油面計８の上方を覆う第４側板９Ｃを有し、この第４側板９Ｃで第１側板９Ａと第２側板９Ｂとを接合した。このため、油面計８の上方を第４側板９Ｃで覆うから、油面計８が他の部材とぶつかって破損することをより確実に防止することができる。また、第４側板９Ｃで第１側板９Ａと第２側板９Ｂとを接合するから、油面計保護部材９は三つの側板を相互に接合して強度を向上することができる。
【００２４】
また、油タンク１の上板２に、作動油を給油する給油口を開口した給油口部材１０を設け、油面計保護部材９は、第４側板９Ｃを延在して取付部９Ｅを有し、この取付部９Ｅを給油口部材１０に着脱自在に取付けた。このため、油面計保護部材９は既存の油タンク１に必要に応じて後から取付けることができるから、油タンク１の種類を増やすことなくできる。また、油タンク１の給油口部材１０に油面計保護部材９の取付部９Ｅを取付けるから、油タンク１に油面計保護部材９を取付けるための取付部材を格別に設けなくてよく、油タンク１の部品点数を増加することなくできる。さらにまた、油面計保護部材９は第４側板９Ｃを利用して取付部９Ｅを有したから、取付部を格別に設けなくてよく、油面計保護部材９の部品点数を増加することなくできる。
【００２５】
また、油面計保護部材９は、油面計８の下方を覆う第５側板９Ｄを有した。このため、油面計８の下方を第５側板９Ｄで覆って、油面計８が他の部材とぶつかって破損することをより一層確実に防止することができる。また、油面計８の下方を覆う第５側板９Ｄは第１側板９Ａと第２側板９Ｂと一体形成により接合した。このため、油面計保護部材９は、第１側板９Ａと第２側板９Ｂと第４側板９Ｃと第５側板９Ｄとの四つの側板を接合するから、より一層強度を向上することができる。
【００２６】
また、冷却器フィルター１７は、冷却器１６と、上板２上に配置された冷却器取付部材１８との間に挟持して着脱自在に設けた。このため、冷却器フィルター１７は既存の冷却器１６に必要に応じて後から取り付けることができるから、冷却器１６の種類を増やすことなくできる。また、ポンプ４より漏洩した作動油を収容する油受け１９は、タンク１の底板１Ｅに着脱自在に取付けている。このため、油受け１９は既存の油タンク１に必要に応じて後から取付けることができるから、油タンク１の種類を増やすことなくできる。また、油受け１９はタンク取付部１９Ａを有し、タンク取付部１９Ａに油タンク１の底板１Ｅを取付けることで、油タンク１の底板１Ｅと油受け底部１９Ｃとの間に間隙を有する。このため、油タンク１の底板１Ｅと油受け１９の油受け底部１９Ｃとの間の間隙に作動油を収容できるから、油受け１９の油受け底部１９Ｃに直接、油タンク１の底板１Ｅを取付けたものに比し、より多くの漏洩した作動油を収容することができる。
【００２７】
図５および図６は本発明の他の実施形態を示し、一実施形態と同一個所については同符号を付して説明を省略し、異なる個所についてのみ説明する。
油面計８は、油タンク１の第１側板１Ａに、他方の側面方向を向けて図示しないブロック部材を介して取付けている。そして、油面計８は正面方向を油タンク１の第２側板１Ｂの方向に向けている。圧力計７は、圧力計取付部材７Ｂによってポンプ４の吐出路４Ｂに接続し、油面計８と同様に、正面方向を油タンク１の第２側板１Ｂの方向に向けている。油面計保護部材２０は、油面計８の正面方向を開口すると共に、油面計８の一方の側面方向を覆う第１側板２０Ａと、油面計８の背面方向を覆う第３側板２０Ｂと、油面計８の上方を覆う第４側板２０Ｃとから構成し、油面計８の一方の側面方向と背面方向と上方との三方向を覆う形状に設けている。そして、油面計８の他方の側面方向は油タンク１の第１側板１Ａで覆っている。油面計保護部材２０は、単一の板状部材を略Ｌ字形状に屈曲形成して第１側板２０Ａと第３側板２０Ｂとを一体形成し、油面計８の上方を覆う第４側板２０Ｃに第１側板２０Ａの上端と第３側板２０Ｃの上端とを溶接固着で接合している。油面計保護部材２０は第４側板２０Ｃを水平方向に延在して取付部２０Ｄを有し、取付部２０Ｄは上板２と給油口部材１０との間に挟持して給油口部材１０に着脱自在に取付け、油面計保護部材２０を油タンク１に固定している。
【００２８】
そして、一実施形態と同様に、油タンク１には、油面計８を保護する油面計保護部材２０を設け、油面計保護部材２０は、油面計８の貯蔵作動油量を視認する正面方向を開口すると共に、油面計８の正面方向と対向する背面方向と、油面計８の正面方向および背面方向と略直交する一方の側面方向と、一方の側面方向と対向する他方の側面方向との三方向を油タンク１の第１側板１Ａとで覆う形状に設けた。このため、油面計保護部材２０と油タンク１の第１側板１Ａとで、油面計８の一方の側面方向と他方の側面方向と背面方向とを覆うから、油面計８が他の部材とぶつかって破損することを防止することができる。
【００２９】
また、油面計保護部材２０は、油面計８の一方の側面方向を覆う第１側板２０Ａと、油面計８の背面方向を覆う第３側板２０Ｂとを有し、油面計８の他方の側面方向を、油タンク１の第１側板１Ａで覆った。このため、油面計保護部材２０は第１側板２０Ａと第３側板２０Ｂとの二つの側板を有するものでよく、構成の簡素化を図ることができる。
【００３０】
また、油面計保護部材２０は、油面計８の上方を覆う第４側板２０Ｃを有し、第４側板２０Ｃで第１側板２０Ａと第３側板２０Ｂとを接合した。このため、油面計８の上方を第４側板２０Ｃで覆うから、油面計８が他の部材とぶつかって破損することをより確実に防止することができる。また、第４側板２０Ｃで第１側板２０Ａと第３側板２０Ｂとを接合するから、油面計保護部材２０は三つの側板を相互に接合して強度を向上することができる。
【００３１】
また、油タンク１の上板２に、作動油を給油する給油口を開口した給油口部材１０を設け、油面計保護部材２０は、第４側板２０Ｃを延在して取付部２０Ｄを有し、この取付部２０Ｄを給油口部材１０に着脱自在に取付けた。このため、油面計保護部材２０は既存の油タンク１に必要に応じて後から取付けることができるから、油タンク１の種類を増やすことなくできる。また、油タンク１の給油口部材１０に油面計保護部材２０の取付部２０Ｄを取付けるから、油タンク１に油面計保護部材２０を取付けるための取付部材を格別に設けなくてよく、油タンク１の部品点数を増加することなくできる。さらにまた、油面計保護部材２０は第４側板２０Ｃを利用して取付部２０Ｄを有したから、取付部を格別に設けなくてよく、油面計保護部材２０の部品点数を増加することなくできる。
【００３２】
また、一実施形態と同様に、冷却器フィルター１７は既存の冷却器１６に必要に応じて後から取り付けることができるから、冷却器１６の種類を増やすことなくできる。また、油受け１９は既存の油タンク１に必要に応じて後から取り付けることができるから、油タンク１の種類を増やすことなくできる。また、油タンク１の底板１Ｅと油受け１９の油受け底部１９Ｃとの間の間隙に作動油を収容できるから、油受け１９の油受け底部１９Ｃに直接、油タンク１の底板１Ｅを取付けたものに比し、より多くの漏洩した作動油を収容することができる。
【００３３】
なお、前述の各実施形態では、油圧ポンプ４を一側面に固定した電動機３をタンク１の上板２上に載置したが、油圧ポンプを油タンクの上板上に載置固定したり、油圧ポンプと電動機を油タンクとは別に配置しても良い。また、油面計保護部材９，２０は油面計８の正面方向を開口したが、この開口に油面計８で表示する作動油の貯蔵量を外部から視認可能に透過部材を設けても良いことは勿論である。
【符号の説明】
【００３４】
１：油タンク
１Ａ：第１側板（側板）
３：電動機
４：油圧ポンプ
８：油面計
９：油面計保護部材
【図１】
0006466674.tif 000002
【図２】
0006466674.tif 000003
【図３】
0006466674.tif 000004
【図４】
0006466674.tif 000005
【図５】
0006466674.tif 000006
【図６】
0006466674.tif 000007